(57)【要約】【課題】ガスケット本体およびフィルターを別体で製作したうえで組み立てる構造のフィルターガスケットにおいて、凹部の内面に寸法公差による隙間が生じても装着時にガスケット本体が大きく弾性変形することがなく、もってシール面圧が極端に低下するのを抑制する。また、ガスケット本体からフィルターが脱落するのを抑制する。【解決手段】装着時にガスケット厚み方向に圧縮されるガスケット本体の内周部に設けた凹部にフィルターの周縁部を非接着で挿入することによりガスケット本体にフィルターを組み付けてなるフィルターガスケットにおいて、凹部の内面と凹部に挿入したフィルターの周縁部との間に寸法公差によるガスケット厚み方向の隙間が生じたときにスペーサーとして作用する突起を凹部の内面に設けたことを特徴とする。【選択図】図１
2013104475.tif 000002
【特許請求の範囲】
【請求項１】
装着時にガスケット厚み方向に圧縮されるゴム状弾性体製のガスケット本体の内周部に設けた凹部にフィルターの周縁部を非接着で挿入することにより前記ガスケット本体に前記フィルターを組み付けてなるフィルターガスケットにおいて、
前記凹部の内面と前記凹部に挿入した前記フィルターの周縁部との間に寸法公差によるガスケット厚み方向の隙間が生じたときにスペーサーとして作用する突起を前記凹部の内面に設けたことを特徴とするフィルターガスケット。
【請求項２】
請求項１記載のフィルターガスケットにおいて、
前記突起は、前記凹部の開口部またはその近傍位置に設けられていることを特徴とするフィルターガスケット。
【請求項３】
請求項１または２記載のフィルターガスケットにおいて、
前記突起は、前記凹部に挿入した前記フィルターの周縁部をその厚み方向両側から挟み込む一対の突起として設けられていることを特徴とするフィルターガスケット。
【発明の詳細な説明】
【技術分野】
【０００１】
本発明は、シール技術に係るガスケットに関し、更に詳しくは、ガスケット本体にフィルターを組み付けてなるフィルターガスケットに関する。本発明のフィルターガスケットは例えば、エンジンフィードパイプなどの配管系に用いられる。
【背景技術】
【０００２】
従来から図３に示すように、ゴム状弾性体製のガスケット本体５２にフィルター５３を組み付けてなるフィルターガスケット５１が知られており、この従来技術ではガスケット本体５２およびフィルター５３が金型を用いて一体成形されている（特許文献１参照）。
【０００３】
これに対し、ガスケット本体５２およびフィルター５３をそれぞれ別体で製作したうえで組み立てることが考えられ、例えば図４に示す参考例では、装着時にガスケット厚み方向（図では上下方向）に圧縮されるガスケット本体５２の内周部に凹部５２ａが設けられ、この凹部５２ａにフィルター５３の周縁部５３ａが非接着で挿入されている。
【０００４】
しかしながら上記図４のフィルターガスケット５１では、ガスケット本体５２の凹部公差やフィルター５３の厚み公差の如何によっては図５（Ａ）に示すように、凹部５２ａの内面と凹部５２ａに挿入したフィルター５３の周縁部５３ａとの間にガスケット厚み方向の隙間ｃが生じることがあり、このような隙間ｃが生じると図５（Ｂ）に示すように、ガスケット本体５２が装着時一対のハウジング６１，６２（図４参照）によってガスケット厚み方向に圧縮されたときに隙間ｃを無くすべく大きく弾性変形することから、シール部５２ｂに必要とされる接触面圧が低下し、シール性に支障を来たす虞がある。尚、このとき、ガスケット本体５２は凹部５２ａの開口部を塞ぐように内周寄りの部位で特に大きく弾性変形するため、接触面圧分布曲線Ｄに示すとおり、内周寄りの部位で接触面圧の低下が顕著となる。
【０００５】
また、上記のように隙間ｃが生じると、ガスケット本体５２からフィルター５３が脱落しやすい不都合もある。
【先行技術文献】
【特許文献】
【０００６】
【特許文献１】特開２００２−１０２６１９号公報（図４）
【特許文献２】特開２００２−３９３９４号公報
【発明の概要】
【発明が解決しようとする課題】
【０００７】
本発明は以上の点に鑑みて、ガスケット本体およびフィルターをそれぞれ別体で製作したうえで組み立てる構造のフィルターガスケットにおいて、凹部の内面に寸法公差による隙間が生じても装着時にガスケット本体が大きく弾性変形することがなく、もってシール部の接触面圧（シール面圧）が極端に低下するのを抑制することができるフィルターガスケットを提供することを目的とする。また、ガスケット本体からフィルターが脱落しにくい構造のフィルターガスケットを提供することを目的とする。
【課題を解決するための手段】
【０００８】
上記目的を達成するため、本発明の請求項１によるフィルターガスケットは、装着時にガスケット厚み方向に圧縮されるゴム状弾性体製のガスケット本体の内周部に設けた凹部にフィルターの周縁部を非接着で挿入することにより前記ガスケット本体に前記フィルターを組み付けてなるフィルターガスケットにおいて、前記凹部の内面と前記凹部に挿入した前記フィルターの周縁部との間に寸法公差によるガスケット厚み方向の隙間が生じたときにスペーサーとして作用する突起を前記凹部の内面に設けたことを特徴とする。
【０００９】
また、本発明の請求項２によるフィルターガスケットは、上記した請求項１記載のフィルターガスケットにおいて、前記突起は、前記凹部の開口部またはその近傍位置に設けられていることを特徴とする。
【００１０】
また、本発明の請求項３によるフィルターガスケットは、上記した請求項１または２記載のフィルターガスケットにおいて、前記突起は、前記凹部に挿入した前記フィルターの周縁部をその厚み方向両側から挟み込む一対の突起として設けられていることを特徴とする。
【００１１】
上記構成を備える本発明のフィルターガスケットにおいては、凹部の内面と凹部に挿入したフィルターの周縁部との間に寸法公差による隙間が生じたときにスペーサーとして作用する突起が凹部の内面に設けられているために、この突起がスペーサーとして作用することにより、ガスケット本体が圧縮されたときの弾性変形が小さく抑えられる。また、隙間が生じても突起がフィルターに接触して抜け止めすることにより、ガスケット本体からフィルターが脱落するのが抑えられる。
【００１２】
凹部がガスケット本体の内周部に設けられるとともにガスケット本体がガスケット厚み方向に圧縮される場合、ガスケット本体は上記したように凹部の開口部を塞ぐように内周寄りの部位で特に大きく弾性変形する。したがって突起はこれを凹部の開口部またはその近傍位置に設けることにより、ガスケット本体の変形抑制効果が大きくなる。
【００１３】
また、突起はこれを、凹部に挿入したフィルターの周縁部をその厚み方向両側から挟み込む一対の突起として設けるのが好適であり、これによれば一対の突起がフィルターの周縁部をその厚み方向両側から挟み込むため、フィルターの脱落抑制効果が大きくなる。
【発明の効果】
【００１４】
本発明は、以下の効果を奏する。
【００１５】
すなわち、本発明によれば以上説明したように、凹部の内面と凹部に挿入したフィルターの周縁部との間に寸法公差による隙間が生じたときにスペーサーとして作用する突起が凹部の内面に設けられているために、この突起がスペーサーとして作用することにより、ガスケット本体が圧縮されたときの弾性変形が小さく抑えられ、これによりシール面圧が極端に低下するのが抑制される。また、隙間が生じても突起がフィルターに接触して抜け止めすることにより、ガスケット本体からフィルターが脱落するのが抑えられる。したがって本発明所期の目的どおり、ガスケット本体およびフィルターをそれぞれ別体で製作したうえで組み立てる構造のフィルターガスケットにおいて、凹部の内面に寸法公差による隙間が生じても装着時にガスケット本体が大きく弾性変形することがなく、もってシール面圧が極端に低下するのを抑制することができ、しかもガスケット本体からフィルターが脱落しにくい構造のフィルターガスケットを提供することができる。
【図面の簡単な説明】
【００１６】
【図１】本発明の実施例に係るフィルターガスケットの要部断面図
【図２】本発明の他の実施例に係るフィルターガスケットの要部断面図
【図３】従来例に係るフィルターガスケットの要部断面図
【図４】参考例に係るフィルターガスケットの要部断面図
【図５】参考例における不具合発生状態を示す図で、（Ａ）は参考例に係るフィルターガスケットの要部断面図、（Ｂ）は同ガスケットが弾性変形した状態の要部断面図
【発明を実施するための形態】
【００１７】
本発明には、以下の実施形態が含まれる。
構成・・・本発明は、凹部先端部に突起を設ける形状を特徴とする。
効果・・・本発明によれば、面圧不足の改善によるシール性向上（公差がない場合でもシール面圧の部分は影響を受けない）、およびフィルター脱落防止によるフィルター機能向上が望める。
【実施例】
【００１８】
つぎに本発明の実施例を図面にしたがって説明する。
【００１９】
図１は、本発明の実施例に係るフィルターガスケット１の要部断面を示している。当該実施例に係るフィルターガスケット１は、ガスケット本体１１およびフィルター２１をそれぞれ別体で製作したうえで組み立てる構造のフィルターガスケットであって、すなわち装着時にガスケット厚み方向（図では上下方向、以下「軸方向」とも称する）に圧縮されるガスケット本体１１を備え、このガスケット本体１１の内周部（内周面）に凹部１１ａが設けられ、この凹部１１ａにフィルター２１の周縁部２１ａが非接着で挿入されることによりガスケット本体１１に対しフィルター２１が組み付けられている。
【００２０】
ガスケット本体１１は、所定のゴム状弾性体によって環状に成形され、また断面円形に成形され、その内周部に環状の凹部１１ａがフィルター２１の周縁部２１ａを挿入するための環状の挿入溝として設けられている。凹部１１ａはその内部に、互いに対向する一対の側面１１ｂおよび側面１１ｂに直交する底面１１ｃを有し、一対の側面１１ｂはそれぞれ軸方向と直交する方向に広がる平面状に形成されている。また、凹部１１ａの深さ寸法は、ガスケット本体１１の線径の半分ほどに達し、半分より若干大きく設定されている。
【００２１】
フィルター２１は、所定の金属材料によって平板状に成形され、またフィルター機能を発揮すべく例えばメッシュ状に成形されている。
【００２２】
上記構成のフィルターガスケット１において、ガスケット本体１１の凹部公差やフィルター２１の厚み公差の如何によっては、凹部１１ａの内面（側面１１ｂ）と凹部１１ａに挿入したフィルター２１の周縁部２１ａとの間にガスケット厚み方向の隙間ｃが生じることがあり、このような隙間ｃが生じると、ガスケット本体１１が装着時一対のハウジング６１，６２によってガスケット厚み方向に圧縮されたときに隙間ｃを無くすべく大きく弾性変形することから、シール部１１ｄに必要とされる接触面圧が低下し、シール性に支障を来たす虞があることは上記したとおりである。また隙間ｃが生じると、ガスケット本体１１からフィルター２１が脱落しやすいことも上記したとおりである。
【００２３】
そこで、当該実施例に係るガスケット１では、凹部１１ａの内面と凹部１１ａに挿入したフィルター２１の周縁部２１ａとの間に寸法公差によるガスケット厚み方向の隙間ｃが生じたときにスペーサーとして作用する突起１１ｅが凹部１１ａの内面に設けられており、この突起１１ｅがスペーサーとして作用して隙間ｃをキャンセルすることにより、ガスケット本体１１が圧縮されたときの弾性変形が小さく抑えられるように構成されている。
【００２４】
突起１１ｅとしては、以下のものが好適である。
【００２５】
（１）
突起１１ｅは、凹部１１ａの開口部またはその近傍位置に設けられている。すなわち上記したように図５（Ａ）（Ｂ）の参考例によると、ガスケット本体５２が凹部５２ａの開口部を塞ぐように内周寄りの部位で特に大きく弾性変形するために、接触面圧分布曲線Ｄに示すとおり、内周寄りの部位で接触面圧の低下が顕著となる。これに対し、突起１１ｅを凹部１１ａの開口部またはその近傍位置に設けることにより、ガスケット本体１１が内周寄りの部位で弾性変形しにくくなる。したがって接触面圧分布曲線Ｅに示すとおり、接触面圧の低下が内周寄りの部位で殆ど生じなくなる。
【００２６】
（２）
突起１１ｅは、凹部１１ａに挿入したフィルター２１の周縁部２１ａをその厚み方向両側から挟み込む一対の突起として設けられている。また突起１１ｅはそれぞれ、その高さ寸法を以下の寸法ｔを目安として設定されている。すなわち凹部１１ａの溝幅に関する公差内最大値をｘ、フィルター２１の厚みに関する公差内最小値をｙとして、
ｔ＝（ｘ−ｙ）÷２
または
ｔ≒（ｘ−ｙ）÷２。これにより、隙間ｃの存在をほぼキャンセルすることができる。
【００２７】
尚、図２に示すように隙間ｃが生じていないとき、突起１１ｅは凹部１１ａの開口部の溝幅を拡大するように作用することになるが、このように突起１１ｅが凹部１１ａの開口部の溝幅を拡大しても、シール部１１ｄの接触面圧は低下することがない。したがって、このように突起１１ｅが凹部１１ａの溝幅を拡大することは何ら問題を生じないものである。
【００２８】
（３）
また、突起１１ｅは、環状に設けられており、また、その断面形状を円弧状に設けられている。
【００２９】
以上のように突起１１ｅを凹部１１ａの内面に設ける構造によれば、隙間ｃが生じても突起１１ｅがスペーサーとして作用して隙間ｃをキャンセルすることにより、ガスケット本体１１が圧縮されたときの弾性変形が小さく抑えられ、これによりシール面圧が極端に低下するのが抑制される。また、隙間ｃが生じても突起１１ｅがフィルター２１に接触して抜け止めすることにより、ガスケット本体１１からフィルター２１が脱落するのが抑えられる。したがって本発明所期の目的どおり、ガスケット本体１１およびフィルター２１をそれぞれ別体で製作したうえで組み立てる構造のフィルターガスケット１において、凹部１１ａの内面に寸法公差による隙間ｃが生じても装着時にガスケット本体１１が大きく弾性変形することがなく、もってシール面圧が極端に低下するのを抑制することができ、しかもガスケット本体１１からフィルター２１が脱落しにくい構造のフィルターガスケット１を提供することができる。
【００３０】
尚、本発明において、ガスケット本体１１の断面形状は円形に限定されず、四角形やＵ字形などであっても良い。また突起１１ｅの断面形状も限定されず、突起１１ｅは環状でなくても良い（突起１１ｅを周上複数設けるなど）。また突起１１ｅを凹部１１ａの深さ方向に複数設けることも考えられる。
【符号の説明】
【００３１】
１  フィルターガスケット
１１  ガスケット本体
１１ａ  凹部
１１ｂ  側面
１１ｃ  底面
１１ｄ  シール部
１１ｅ  突起
２１  フィルター
２１ａ  周縁部
６１，６２  ハウジング
ｃ  隙間
【図１】
2013104475.tif 000003
【図２】
2013104475.tif 000004
【図３】
2013104475.tif 000005
【図４】
2013104475.tif 000006
【図５】
2013104475.tif 000007